(57)【特許請求の範囲】
【請求項１】
ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）に含まれる基地局装置であって、
運用の状況を示す情報を含むログ情報を自装置が保持する記録媒体に書き込む書き込み手段と、
前記書き込み手段による前記ログ情報の書き込みエラーを検出する書き込みエラー検出手段と、
前記書き込みエラーが検出された前記ログ情報を含むメッセージを作成すると共に、予めアドレスが格納される通信可能な転送先に、前記メッセージを所定のプロトコルにしたがって転送する転送手段と
を備えた基地局装置。
【請求項２】
前記転送手段は、複数の前記転送先のアドレスと、それぞれの転送先に転送可能なログ情報のサイズを示す最大転送サイズを保持し、それぞれの転送先に転送済みのログ情報のサイズと、それぞれの転送先に転送可能な最大転送サイズとに基づいて、前記メッセージの転送先を決定する
請求項１記載の基地局装置。
【請求項３】
前記転送手段は、さらに、前記転送先としての優先順位を示す情報を保持し、所定の優先順位を保持する転送先に転送済みのログ情報のサイズが、前記最大転送サイズを超えた場合は、当該転送先の次の優先順位を保持する転送先を、前記メッセージの転送先として決定する
請求項２記載の基地局装置。
【請求項４】
前記メッセージは、ｓｙｓｌｏｇメッセージであり、所定のプロトコルは、ｓｙｓｌｏｇプロトコルである
請求項１乃至請求項３のいずれか１項記載の基地局装置。
【請求項５】
前記転送先は、前記ＥＵＴＲＡＮに含まれる他の基地局装置、コアネットワークに含まれる、自装置を管理する装置、ＭＭＥ（Ｍｏｂｉｌｉｔｙ  Ｍａｎａｇｅｍｅｎｔ  Ｅｎｔｉｔｙ）、ＳＧＷ（Ｓｅｒｖｉｎｇ  Ｇａｔｅｗａｙ）の少なくともいずれかである
請求項１乃至請求項４のいずれか１項記載の基地局装置。
【請求項６】
基地局装置を含むＥＵＴＲＡＮにおけるログ取得方法であって、
前記基地局装置は、自装置の運用の状況を示す情報を含むログ情報を自装置が保持する記録媒体に書き込み、
前記ログ情報の書き込みエラーを検出すると、
前記書き込みエラーが検出された前記ログ情報を含むメッセージを作成すると共に、予めアドレスが格納される通信可能な転送先に、前記メッセージを所定のプロトコルにしたがって転送する
ログ取得方法。
【請求項７】
前記基地局装置は、複数の前記転送先のアドレスと、それぞれの転送先に転送可能なログ情報のサイズを示す最大転送サイズを保持し、前記メッセージの転送にあたり、それぞれの転送先に転送済みのログ情報のサイズと、それぞれの転送先に転送可能な最大転送サイズとに基づいて、前記メッセージの転送先を決定する
請求項６記載のログ取得方法。
【請求項８】
前記基地局装置は、さらに、前記転送先としての優先順位を示す情報を保持し、前記メッセージの転送にあたり、所定の優先順位を保持する転送先に転送済みのログ情報のサイズが、前記最大転送サイズを超えた場合は、当該転送先の次の優先順位を保持する転送先を、前記メッセージの転送先として決定する
請求項７記載のログ取得方法。
【請求項９】
前記メッセージは、ｓｙｓｌｏｇメッセージであり、所定のプロトコルは、ｓｙｓｌｏｇプロトコルである
請求項６乃至請求項８のいずれか１項記載のログ取得方法。
【請求項１０】
運用の状況を示す情報を含むログ情報を記録媒体に書き込む処理と、
前記ログ情報の書き込みエラーを検出する処理と、
前記書き込みエラーが検出された前記ログ情報を含むメッセージを作成すると共に、予めアドレスが格納される通信可能な転送先に、前記メッセージを所定のプロトコルにしたがって転送する処理とを
基地局装置に実行させるログ取得プログラム。
【発明の詳細な説明】
【技術分野】
【０００１】
本発明は、ＬＴＥ（Ｌｏｎｇ  Ｔｅｒｍ  Ｅｖｏｌｕｔｉｏｎ）移動通信網における基地局装置の保守技術に関する。
【背景技術】
【０００２】
近年のモバイルデータ使用量の増大に対応するため、携帯通信端末の通信規格であるＬＴＥを用いた移動通信網が広く構築されている。ＬＴＥは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（以降、「ＥＵＴＲＡＮ」と称する）と呼ばれる無線アクセスを利用して、エンドユーザにおけるスループットを大幅に改善すると共に、高周波数利用効率を実現している。
【０００３】
ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）のような２Ｇネットワーク、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）のような３Ｇネットワークでは、回線交換方式とパケット交換方式の両方を備えていた。そして、音声通信は回線交換ネットワーク、データ通信はパケットネットワークを使用するというように、２つのネットワークが併存していた。
【０００４】
これに対してＬＴＥネットワークでは、音声もＶｏＩＰ（Ｖｏｉｃｅ  ｏｖｅｒ  ＩＰ）としてパケット化し、すべての情報をパケットとして伝送している。
【０００５】
ＬＴＥネットワークは、無線アクセス制御機能を備え、ユーザ端末（ＵＥ：Ｕｓｅｒ  Ｅｑｕｉｐｍｅｎｔ）とインタフェースをとる基地局装置、すなわちＥｖｏｌｖｅｄ  ＮｏｄｅＢ（以降、「ｅＮｏｄｅＢ」または「ｅＮＢ」と称する）で構成される。
【０００６】
上述の３Ｇネットワークとの違いとして、ＬＴＥネットワークは、ＲＮＣ（Ｒａｄｉｏ  Ｎｅｔｗｏｒｋ  Ｃｏｎｔｒｏｌｌｅｒ）を持たない構成を有している。ＥＵＴＲＡＮには、基地局装置（ｅＮＢ）のみが設置され、ｅＮＢは直接コアネットワークに接続される。
【０００７】
３Ｇネットワークにおいて、端末からの発着信制御や無線チャネル割り当て制御などＲＮＣが担っていた制御機能を、ＬＴＥでは、ｅＮＢとコアネットワークとに分散させている。この構成により、処理遅延の削減や、機器構成やネットワーク構成の簡素化によるコストダウンが可能となる。
【０００８】
このように、３Ｇネットワークにおける基地局装置が担う機能よりも、ＬＴＥネットワークにおけるｅＮＢが担う機能は増大しているので、ｅＮＢを確実に運用できるように保守・管理を行うことが重要となっている。ｅＮＢの保守にあたり、ｅＮＢのログ情報を管理することは、必須である。
【０００９】
通信ネットワークを構成する機器のログを管理する方法としては、機器自体が備える記憶媒体にログ情報をログファイルとして出力すると共に保存する方法が採用される場合が多い。例えば、特許文献１には、携帯電話システムの保守、運用を実現する技術が開示される。ここでは、携帯電話システムに含まれる無線基地局において、障害発生回数が一定値を超えた場合に障害情報を送信すると共に、ログファイルに障害情報を蓄積し、所定の転送時期にログファイルを送信することが開示される。
【００１０】
また、特許文献２には、ログレベル収集装置が開示される。このログレベル収集装置は、基地局からのイベント発生警報により通知されるイベントの種別ごとに、ログ情報の出力レベルを対応付けたテーブルを予め用意しておく。そして、ログレベル収集装置は、基地局からイベント発生警報の受信状況に応じて、ログ情報の出力レベルを求め、求めた出力レベルでログ情報を出力するように基地局に変更通知を送信すると共に、出力されたログ情報を収集して記憶する。
【００１１】
また、特許文献３には、ｓｙｓｌｏｇプロトコルでログ情報を転送ホストに転送する画像処理装置が開示される。
【先行技術文献】
【特許文献】
【００１２】
【特許文献１】特開平７−１７０５６０号公報
【特許文献２】特開２００９−２５３４０３号公報
【特許文献３】特開２０１０−２８７１０８号公報
【発明の概要】
【発明が解決しようとする課題】
【００１３】
上記特許文献１に記載のように、機器自体が備える記憶媒体にログファイルを出力し保存するログファイルの管理方法では、記憶媒体に対するアクセスの輻輳や、記憶媒体の不具合等に起因して、ログファイルの書き込みに失敗が生じる場合がある。この場合、保守者は、書き込みに失敗したログファイルを取得することができない。
【００１４】
保守者は、ログファイルを解析することにより、機器の不具合の原因を特定すると共に最適な対処を行うことによって、安定したサービスをユーザに提供している。しかしながら、ログファイルが欠如してしまうと、保守者は、障害発生の原因特定や復旧に時間がかかる等、運営費（ＯＰＥＸ：ＯＰｅｒａｔｉｎｇ  ＥＸｐｅｎｓｅ）が増大してしまうという課題がある。
【００１５】
また、特許文献２に記載のログレベル収集装置では、基地局に障害が発生したときだけでなく障害発生以前のログ情報が保存でき、障害発生原因および発生経緯の解析が可能である。しかしながら、基地局ごとにログ収集装置を設置する必要があるので、コストが増大するという課題がある。
【００１６】
また、特許文献３に記載の画像処理装置は、ｓｙｓｌｏｇプロトコルで転送ホストにログを転送する際に、デバイスログも転送しているので、ログ転送処理に伴うネットワークトラフィックが増大するという課題がある。
【００１７】
本願発明は、上記課題を鑑みてなされたものであり、コストやネットワークトラフィックの増大を招くことなく、確実にログ情報を取得することができる基地局装置等を提供することを主要な目的とする。
【課題を解決するための手段】
【００１８】
本発明の第１の基地局装置は、ＥＵＴＲＡＮに含まれる基地局装置であって、運用の状況を示す情報を含むログ情報を自装置が保持する記録媒体に書き込む書き込み手段と、前記書き込み手段による前記ログ情報の書き込みエラーを検出する書き込みエラー検出手段と、前記書き込みエラーが検出された前記ログ情報を含むメッセージを作成すると共に、予めアドレスが格納される通信可能な転送先に、前記メッセージを所定のプロトコルにしたがって転送する転送手段とを備える。
【００１９】
本発明の第１のログ取得方法は、基地局装置を含むＥＵＴＲＡＮにおけるログ取得方法であって、前記基地局装置は、自装置の運用の状況を示す情報を含むログ情報を自装置が保持する記録媒体に書き込み、前記ログ情報の書き込みエラーを検出すると、前記書き込みエラーが検出された前記ログ情報を含むメッセージを作成すると共に、予めアドレスが格納される通信可能な転送先に、前記メッセージを所定のプロトコルにしたがって転送する。
【００２０】
なお同目的は、上記の各構成を有するログ取得方法を、コンピュータによって実現するコンピュータ・プログラム、およびそのコンピュータ・プログラムが格納されている、コンピュータ読み取り可能な記憶媒体によっても達成される。
【発明の効果】
【００２１】
本願発明によれば、コストやネットワークトラフィックの増大を招くことなく、確実にログ情報を取得することができるという効果が得られる。
【図面の簡単な説明】
【００２２】
【図１】本発明の第１の実施形態に係るＬＴＥネットワークの構成図である。
【図２】本発明の第１の実施形態に係るｅＮＢの構成を示すブロック図である。
【図３】本発明の第１の実施形態に係るｅＮＢの動作を示すフローチャートである。
【図４】本発明の第１の実施形態に係るｅＮＢが備える転送管理テーブルの構成を示す図である。
【図５】本発明の第２の実施形態に係るｅＮＢの構成を示すブロック図である。
【図６】本発明の第２の実施形態に係るｅＮＢが備える転送管理テーブルの構成を示す図である。
【図７】本発明の第２の実施形態に係るｅＮＢの動作を示すフローチャートである。
【図８】本発明の第２の実施形態に係るｅＮＢの動作を示すフローチャートである。
【図９】本発明の第３の実施形態に係るｅＮＢの構成を示すブロック図である。
【図１０】本発明の各実施形態に係る基地局装置のハードウエア構成を例示する図である。
【発明を実施するための形態】
【００２３】
以下、本発明の実施形態について図面を参照して詳細に説明する。
【００２４】
第１の実施形態
図１は、本発明の第１の実施形態に係るＬＴＥネットワーク１００の構成図である。図１に示すように、ＬＴＥネットワーク１００には、無線アクセス網であるＥＵＴＲＡＮ２００と、無線アクセスに依存しないコアネットワーク３００とが含まれる。
【００２５】
ＥＵＴＲＡＮ２００は、ＬＴＥ基地局装置であるｅＮＢ１０と、ｅＮＢ１０と通信する隣接ｅＮＢ２０−１、２０−２、・・・、２０−Ｎで構成される。
【００２６】
コアネットワーク３００は、ＭＭＥ（Ｍｏｂｉｌｉｔｙ  Ｍａｎａｇｅｍｅｎｔ  Ｅｎｔｉｔｙ）３０−１、３０−２、・・・、３０−Ｎ、ＳＧＷ（Ｓｅｒｖｉｎｇ  Ｇａｔｅｗａｙ）４０−１、４０−２、・・・、４０−Ｎおよび保守管理装置５０を含む。ただし、ＥＵＴＲＡＮ２００およびコアネットワーク３００は、それぞれ、上記構成要素の他にも構成要素を含んでもよい。
【００２７】
ＭＭＥ３０−１、３０−２、・・・、３０−Ｎは、互いに同一構成を有するので、以降、説明の便宜上、ＭＭＥ３０−１について説明する。同じくＳＧＷ４０−１、・・・、４０−Ｎは、互いに同一構成を有するので、以降、説明の便宜上、ＳＧＷ４０−１について説明する。
【００２８】
コアネットワーク３００に含まれる各構成要素の概略を説明する。
【００２９】
ＳＧＷ４０−１は、在圏パケットゲートウェイと呼ばれ、ＬＴＥと３Ｇのアクセス網（図示せず）の各網におけるユーザデータの転送経路の切り替え制御を行う。ＭＭＥ３０−１は、端末（ＵＥ）６０の移動管理、認証（セキュリティ制御）、ＳＧＷ４０−１とｅＮＢ１０との間のユーザデータの転送経路の設定等を行う。
【００３０】
保守管理装置５０は、ｅＮＢ１０に対する保守管理を行う。
【００３１】
次に、ＥＵＴＲＡＮ２００に含まれるｅＮＢ１０の構成について説明する。
【００３２】
ｅＮＢ１０は、ＭＭＥ３０−１、３０−２、・・・、３０−Ｎ、ＳＧＷ４０−１、・・・、４０−Ｎおよび保守管理装置５０と直接通信する。
【００３３】
ｅＮＢ１０は、ユーザデータを取り扱うユーザプレーンのプロトコル階層において、無線リンク制御（ＲＬＣ：Ｒａｄｉｏ  Ｌｉｎｋ  Ｃｏｎｔｒｏｌ）、媒体アクセス制御（ＭＡＣ：Ｍｅｄｉｕｍ  Ａｃｃｅｓｓ  Ｃｏｎｔｒｏｌ）、パケットデータ制御プロトコル（ＰＤＣＰ：Ｐａｃｋｅｔ  Ｄａｔａ  Ｃｏｎｖｅｒｇｅｎｃｅ  Ｐｒｏｔｏｃｏｌ）のレイヤーを備える。
【００３４】
ｅＮＢ１０は、また、制御を行うコントロールプレーンのプロトコル階層において、無線リソース制御（ＲＲＣ：Ｒａｄｉｏ  Ｒｅｓｏｕｒｃｅ  Ｃｏｎｔｒｏｌ）機能を備える。
【００３５】
ＵＥ６０とｅＮＢ１０との間には、無線区間に適したプロトコルが使用され、ユーザデータは、上述したＰＤＣＰを使用して伝送される。ＵＥ６０からｅＮＢ１０にデータが伝送されると、ｅＮＢ１０とＭＭＥ３０−１（またはＳＧＷ４０−１）との間でＩＰ（Ｉｎｔｅｒｎｅｔ  Ｐｒｏｔｏｃｏｌ）伝送に適したプロトコルが使用され、ユーザデータは、ＧＴＰ−Ｕ（ＧＰＲＳ  Ｔｕｎｎｅｌｉｎｇ  Ｐｒｏｔｏｃｏｌ  ｆｏｒ  Ｕｓｅｒ  Ｐｌａｎｅ）を使用して伝送される。
【００３６】
コントロールプレーンでは、端末間での通話や通信を制御する信号が伝送される。すなわち、パケット呼の接続、データを伝送するための伝送路の設定、またはハンドオーバーの制御が行われる。
【００３７】
ｅＮＢ１０は、上述のように、無線リンク制御や媒体アクセス制御等を行う機能を有する。そして、ｅＮＢ１０は、それらの機能の実施において、運用状況や障害状況に関する情報、すなわちログ情報を収集し、そのログ情報を記載したログファイルを自装置が保持する記録媒体に書き込む。
【００３８】
さらに、ｅＮＢ１０は、ログ情報をｓｙｓｌｏｇプロトコルにより転送する機能を有する。なお、本実施形態では、ｓｙｓｌｏｇプロトコルによる転送とは、ＲＦＣ（Ｒｅｑｕｅｓｔ  ｆｏｒ  Ｃｏｍｍｅｎｔ）５４５２に規定されるログ転送プロトコルに基づく通信方式を想定している。
【００３９】
図２は、本第１の実施形態に係るｅＮＢ１０の構成を示すブロック図である。図２に示すように、ｅＮＢ１０は、ｓｙｓｌｏｇプロトコル処理を実現するｓｙｓｌｏｇ処理部１１０と、ｓｙｓｌｏｇ処理部１１０によりログファイルが書き込まれる記録媒体１２０とを備える。
【００４０】
ｓｙｓｌｏｇ処理部１１０は、転送制御部１３０と、書き込み制御部１４０とを備える。転送制御部１３０は、ｓｙｓｌｏｇメッセージ転送部１３１および転送管理テーブル１３２を備える。書き込み制御部１４０は、書き込みエラー検出部１４１および書き込み部１４２を備える。記録媒体１２０は、ログファイル１２１を格納する。
【００４１】
ｓｙｓｌｏｇ処理部１１０は、通常、ログ情報を記載したログファイル１２１を、書き込み制御部１４０により記録媒体１２０に書き込む。記録媒体１２０は、ＨＤＤ（Ｈａｒｄ  Ｄｉｓｃ  Ｄｒｉｖｅ）などから構成される。記録媒体１２０に書き込まれたログファイル１２１は、管理者等により回収されることで、ｅＮＢ１０の動作の解析が可能である。
【００４２】
図３は、本第１の実施形態に係るｅＮＢ１０の動作を示すフローチャートである。図３を参照して、ｅＮＢ１０の動作について説明する。
【００４３】
書き込み制御部１４０は、収集したログ情報を記載したログファイルを、書き込み部１４２により、記録媒体１２０に書き込む（Ｓ２０１）。書き込み部１４２がログファイルの書き込みに失敗すると、書き込みエラー検出部１４１は、書き込みエラーを検出する（Ｓ２０２）。
【００４４】
書き込みエラー検出部１４１は、書き込みエラーを検出すると、転送制御部１３０にログ情報の転送を指示する（Ｓ２０３）。転送制御部１３０は、上記指示に基づいて、転送先ノードにｓｙｓｌｏｇメッセージを送信することによりログ情報を送信する。
【００４５】
転送先ノードとは、ＬＴＥネットワーク１００においてｅＮＢ１０が通信可能な装置であり、少なくとも、隣接ｅＮＢ２０−１、２０−２、・・・、２０−Ｎ、ＭＭＥ３０−１、３０−２、・・・、３０−Ｎ、ＳＧＷ４０−１、・・・、４０−Ｎおよび保守管理装置５０のいずれかである。
【００４６】
具体的には、転送制御部１３０におけるｓｙｓｌｏｇメッセージ転送部１３１は、上記指示に応じて、転送管理テーブル１３２に基づいてｓｙｓｌｏｇメッセージを作成する（Ｓ２０４）。図４は、転送管理テーブル１３２の構成を示す図である。図４に示すように、転送管理テーブル１３２は、転送先アドレスを保持する。転送先アドレスとは、ｅＮＢ１０がｓｙｓｌｏｇメッセージを転送する転送先ノードのＩＰアドレスを示す。ここでは、転送管理テーブル１３２は、転送先アドレスとして、隣接ｅＮＢ２０−１と、保守管理装置５０のＩＰアドレスを含む。
【００４７】
ここで、保守管理装置５０は、転送管理テーブル１３２に、運用状況に応じてログ情報の転送先として最適な装置のＩＰアドレスを設定できる。保守管理装置５０は、また、転送先アドレス等を変更したり、設定内容を確認したりすることもできる。保守管理装置５０は、転送先アドレスとして複数のアドレスを設定してもよい。
【００４８】
ｓｙｓｌｏｇメッセージ転送部１３１は、転送管理テーブル１３２に含まれる転送先アドレスを宛先とし、書き込みに失敗したログ情報をメッセージ内容として、ｓｙｓｌｏｇメッセージを作成する。そして、作成したｓｙｓｌｏｇメッセージを、ｓｙｓｌｏｇプロトコルに定義されるポートを介して、転送先ノード（ここでは隣接ｅＮＢ２０−１と保守管理装置５０）に送信する（Ｓ２０５）。
【００４９】
転送先ノードである隣接ｅＮＢ２０−１と保守管理装置５０、および、隣接ｅＮＢ２０−１、２０−２、・・・、２０−Ｎ、ＭＭＥ３０−１、３０−２、・・・、３０−Ｎ、ＳＧＷ４０−１、・・・、４０−Ｎでは、ｓｙｓｌｏｇデーモンが起動している。ｓｙｓｌｏｇデーモンは、ｓｙｓｌｏｇプロトコルにしたがって受信したログ情報の書き込み先が記載された設定ファイルを保持する。ｓｙｓｌｏｇデーモンは、この設定ファイルにしたがって、受信したログ情報を書き込み先に書き込む（Ｓ２０６、Ｓ２０７）。ｓｙｓｌｏｇデーモンは、ログ情報を、例えば自装置が備える記憶媒体に書き込む。
【００５０】
以上のように、本第１の実施形態によれば、ｅＮＢ１０は、書き込み部１４２によるログファイルの記録媒体１２０への書き込みに失敗すると、ｓｙｓｌｏｇメッセージ転送部１３１は、書き込みを失敗したログ情報を含むｓｙｓｌｏｇメッセージを、ｓｙｓｌｏｇプロトコルに従って予め保守管理装置５０により設定された転送先ノードに送信する。
【００５１】
この構成を採用することにより、本第１の実施形態によれば、ｅＮＢ１０は、記録媒体１２０への書き込みに失敗したログ情報をＥＵＴＲＡＮ２００またはコアネットワーク３００に含まれる装置に転送するので、ｅＮＢ１０のログ情報の取得に対する信頼性を向上させ、ＥＵＴＲＡＮ２００における不具合発生時の原因究明にかかる保守者のＯＰＥＸを最小限に抑えることができるという効果得られる。
【００５２】
また、ｅＮＢ１０は、記録媒体１２０への書き込みに失敗したログ情報のみを転送先ノードに転送するので、ネットワークトラフィックの増大を招くことなく、確実にログ情報を取得することができるという効果が得られる。
【００５３】
また、ｅＮＢ１０の転送先ノードとして、ＥＵＴＲＡＮ２００またはコアネットワーク３００に含まれる装置を設定するので、ログ情報の収集のための装置を設けることなく（すなわちコストを増大することなく）、ＬＴＥネットワーク１００全体でログ情報の取得を冗長化できるという効果が得られる。
【００５４】
また、保守管理装置５０は、ｅＮＢ１０に対してログ情報の転送先ノードを設定できるので、ＥＵＴＲＡＮ２００またはコアネットワーク３００に含まれる装置のいずれかを転送先ノードとして柔軟に設定できるという効果が得られる。
【００５５】
第２の実施形態
次に、上述した第１の実施形態を基礎とする第２の実施形態について説明する。以下の説明では、第１の実施形態と同様の構成については同じ参照番号を付与することにより、重複する説明は省略する。
【００５６】
図５は、本第２の実施形態に係るｅＮＢ７０の構成を示すブロック図である。図５に示すように、ｅＮＢ７０は、転送制御部１５０および書き込み制御部１６０を備える。転送制御部１５０は、上記第１の実施形態に係るｅＮＢ１０の転送制御部１３０に加えて、サイズ制御部１５１を備える。また、書き込み制御部１６０は、上記第１の実施形態に係るｅＮＢ１０の書き込み制御部１４０に加えて、サイズ検出部１６１を備える。
【００５７】
本第２の実施形態に係るｅＮＢ７０では、ログ情報を転送する転送先ノードの優先度およびログ情報のサイズに関する制御を行う。
【００５８】
図６は、転送制御部１５０の転送管理テーブル１３２の構成を示す図である。図６に示すように、転送管理テーブル１３２は、転送先アドレス、優先度、最大転送サイズ、転送済みサイズを示す各情報を保持する。転送先アドレスは、第１の実施形態と同様に、ログ情報を転送する先のＩＰアドレスを示す。優先度は、ログ情報を転送する先の優先順位を示す。最大転送サイズは、ｓｙｓｌｏｇプロトコルにしたがって転送するログ情報のサイズを制限するための最大転送サイズを示す。転送済みサイズは、ｓｙｓｌｏｇプロトコルにしたがって転送済みのログ情報のサイズを示す。
【００５９】
転送制御部１５０は、転送管理テーブル１３２にしたがって、ログ情報を、優先度の最も高い転送先ノードにログ情報を転送する。また、転送制御部１５０は、ｓｙｓｌｏｇプロトコルにしたがって転送済みのログ情報のサイズが、最大転送サイズを超えた場合、次に優先度の高い転送先ノードへ、ｓｙｓｌｏｇプロトコルの転送先を切り替える。
【００６０】
転送管理テーブル１３２に含まれる情報は、上記第１の実施形態と同様に、保守管理装置５０により設定される。また、保守管理装置５０は、転送管理テーブル１３２に含まれる情報を変更したり、設定内容を確認したりすることもできる。
【００６１】
図７および図８は、本第２の実施形態に係るｅＮＢ７０の動作を示すフローチャートである。図７および図８を参照して、ｅＮＢ７０の動作について説明する。
【００６２】
書き込み制御部１６０は、収集したログ情報を記載したログファイルを、書き込み部１４２により、記録媒体１２０に書き込む（Ｓ３０１）。書き込み部１４２がログファイルの書き込みに失敗すると、書き込みエラー検出部１４１は、書き込みエラーを検出する（Ｓ３０２）。
【００６３】
書き込みエラー検出部１４１が書き込みエラーを検出すると、サイズ検出部１６１は、書き込みエラーを生じたログ情報のサイズを検出する（Ｓ３０３）。サイズ検出部１６１は、サイズを検出したログ情報を転送する指示を、転送制御部１５０に行う（Ｓ３０４）。転送制御部１５０は、上記指示を受けると、ログ情報をｓｙｓｌｏｇプロトコルにより転送するにあたり、サイズの確認を行う。すなわち、サイズ制御部１５１は、転送管理テーブル１３２に格納される優先度が最も高い転送先ノードに関連付けられた転送済みサイズが、最大転送サイズを超えていないか否かを確認する（Ｓ３０５）。超えていない場合、Ｓｙｓｌｏｇメッセージ転送部１３１は、その優先度が最も高い転送先ノードを宛先とし、上記書き込みに失敗したログ情報をメッセージ内容として、ｓｙｓｌｏｇメッセージを作成する（Ｓ３０６）。
【００６４】
一方、転送管理テーブル１３２に格納される優先度が最も高い転送先ノードに関連付けられた転送済みサイズが、最大転送サイズを超えている場合、サイズ制御部１５１は、次に優先度が高い転送先ノードに関連付けられた転送済みサイズが、最大転送サイズを超えていないか否かを確認する（Ｓ３０７）。サイズ制御部１５１は、この確認を繰り返し、転送済みサイズが、最大転送サイズを超えていない転送先ノードを特定する。そして、Ｓｙｓｌｏｇメッセージ転送部１３１は、特定された転送先ノードを宛先とし、上記書き込みに失敗したログ情報をメッセージ内容として、ｓｙｓｌｏｇメッセージを作成する（Ｓ３０６）。
【００６５】
Ｓｙｓｌｏｇメッセージ転送部１３１は、作成したｓｙｓｌｏｇメッセージを、転送先ノードに送信する（Ｓ３０８）。そして、Ｓｙｓｌｏｇメッセージ転送部１３１は、転送したログ情報のサイズを、転送管理テーブル１３２における転送済みサイズに加算する更新を行う（Ｓ３０９）。
【００６６】
例えば、図６に示す場合、隣接ｅＮＢ２０−１と保守管理装置５０とが共に最も優先度が高いが、保守管理装置５０の転送済みサイズは、最大転送サイズを超えている。したがって、Ｓｙｓｌｏｇメッセージ転送部１３１は、隣接ｅＮＢ２０−１と、次に優先度の高い隣接ｅＮＢ２０−２にｓｙｓｌｏｇメッセージを転送する。
【００６７】
隣接ｅＮＢ２０−１および隣接ｅＮＢ２０−２は、ｓｙｓｌｏｇデーモンは、設定ファイルにしたがって、受信したログ情報を書き込み先に書き込む（Ｓ３１０、Ｓ３１１）。
【００６８】
以上のように、本第２の実施形態によれば、保守管理装置５０は、ｅＮＢ７０に対して、転送先ノードの優先度と、転送先ノードが受信可能なサイズを設定できるので、転送先ノードの容量に応じたログ情報の転送が可能になるという効果が得られる。
【００６９】
なお、上記実施形態では、転送先ノードとして、隣接ｅＮＢ２０−１、２０−２、・・・、２０−Ｎ、ＭＭＥ３０−１、３０−２、・・・、３０−Ｎ、ＳＧＷ４０−１、・・・、４０−Ｎおよび保守管理装置５０の少なくとも何れかであることを説明したが、これに限定されない。すなわち、ｅＮＢ１０とＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を介して通信可能であり、ｓｙｓｌｏｇデーモンが起動している装置であればよい。保守管理装置５０は、そのような装置のＩＰアドレスを、ｅＮＢ１０に設定することにより、ｓｙｓｌｏｇメッセージの転送先ノードとして設定することができる。また、隣接ｅＮＢ２０−１、２０−２、・・・、２０−Ｎは、ｅＮＢ１０と同様の構成を備えると共に、ｅＮＢ１０と同様に、ＭＭＥ３０−１、３０−２、・・・、３０−Ｎ、ＳＧＷ４０−１、・・・、４０−Ｎおよび保守管理装置５０の少なくともいずれかに、書き込みに失敗したログ情報を含むｓｙｓｌｏｇメッセージを転送してもよい。
【００７０】
第３の実施形態
図９は、本発明の第３の実施形態に係る基地局装置８０の構成を示すブロック図である。図９に示すように、基地局装置８０は、ＥＵＴＲＡＮに含まれる。
【００７１】
基地局装置８０は、書き込み部８１、書き込みエラー検出部８２および転送部８３を備える。
【００７２】
書き込み部８１は、運用の状況を示す情報を含むログ情報を自装置が保持する記録媒体に書き込む。書き込みエラー検出部８２は、書き込み部８１によるログ情報の書き込みエラーを検出する。
【００７３】
転送部８３は、書き込みエラーが検出されたログ情報を含むメッセージを作成すると共に、予めアドレスが格納される通信可能な転送先に、メッセージを所定のプロトコルにしたがって転送する。
【００７４】
上記構成を採用することにより、本第３の実施形態によれば、コストやネットワークトラフィックの増大を招くことなく、確実にログ情報を取得することができるという効果が得られる。
【００７５】
なお、図２、図５および図９に示した基地局装置の各部は、図１０に例示するハードウエア資源において実現される。すなわち、図９に示す構成は、図２、図５および図９に示した基地局装置における、転送制御部１３０、１５０および書き込み制御部１４０は、メモリ１１に記憶されたコンピュータ・プログラムおよび各種データをメモリ１１において実行するＣＰＵ（Ｃｅｎｔｒａｌ  Ｐｒｏｃｅｓｓｉｎｇ  Ｕｎｉｔ）１５によって構成される。なお、基地局装置およびその各機能ブロックのハードウエア構成は、上述の構成に限定されない。
【００７６】
また、各実施形態を例に説明した本発明は、基地局装置に対して、上記説明した機能を実現可能なコンピュータ・プログラムを供給した後、そのコンピュータ・プログラムを、ＣＰＵ１５が実行することによって達成される。
【００７７】
また、係る供給されたコンピュータ・プログラムは、読み書き可能なメモリ（一時記憶媒体）またはハードディスク装置等のコンピュータ読み取り可能な記憶デバイスに格納すればよい。そして、このような場合において、本発明は、係るコンピュータ・プログラムを表すコード或いは係るコンピュータ・プログラムを格納した記憶媒体によって構成されると捉えることができる。
【符号の説明】
【００７８】
１１  メモリ
１２  ＲＯＭ
１３  外部接続インタフェース
１４  記録媒体
１５  ＣＰＵ
１０、７０、８０  ｅＮＢ
２０−１、２０−２  隣接ｅＮＢ
３０−１、３０−２  ＭＭＥ
４０−１、４０−２  ＳＧＷ
１００  ＬＴＥネットワーク
１１０  Ｓｙｓｌｏｇ処理部
１２０  記録媒体
１２１  ログファイル
１３０、１５０  転送制御部
１３１  Ｓｙｓｌｏｇメッセージ転送部
１３２  転送管理テーブル
１４０  書き込み制御部
１４１  書き込みエラー検出部
１４２  書き込み部
１５１  サイズ制御部
１６１  サイズ検出部
２００  ＥＵＴＲＡＮ
３００  コアネットワーク
【図１】
0006367626.tif 000002
【図２】
0006367626.tif 000003
【図３】
0006367626.tif 000004
【図４】
0006367626.tif 000005
【図５】
0006367626.tif 000006
【図６】
0006367626.tif 000007
【図７】
0006367626.tif 000008
【図８】
0006367626.tif 000009
【図９】
0006367626.tif 000010
【図１０】
0006367626.tif 000011